【手続補正書】
【提出日】平成21年3月16日(2009.3.16)
【手続補正１】
【補正対象書類名】特許請求の範囲
【補正対象項目名】全文
【補正方法】変更
【補正の内容】
【特許請求の範囲】
【請求項１】
複数の電熱線が横方向に掛け渡された曇り止め装置付きガラス板に取り付けられるループアンテナであって、
ループを構成するアンテナエレメントの配置を多角形状とし、
前記アンテナエレメントの１つを底辺エレメントとした時に、前記ループアンテナの給電端子を、前記底辺エレメントから所定距離だけ離れた位置に設け、
前記給電端子と前記底辺エレメントとの距離を、隣接する前記電熱線の間の距離よりも小さく形成して、前記隣接する前記電熱線の間の前記ガラス板に取り付けられるようにしたことを特徴とするループアンテナ。
【請求項２】
請求項１に記載のループアンテナであって、
前記多角形が三角形であることを特徴とするループアンテナ。
【請求項３】
複数の電熱線が横方向に掛け渡された曇り止め装置付きガラス板に取り付けられるループアンテナであって、
ループを構成するアンテナエレメントの配置を辺数が４以上の多角形状とし、
前記アンテナエレメントの１つを底辺エレメントとした時に、前記ループアンテナの２つの給電端子を、前記底辺エレメントから所定距離だけ離れた位置に設け、
前記アンテナエレメントの２つを側辺エレメントとして、前記底辺エレメントに対して垂直方向に延伸させて前記底辺エレメントの両側に位置させ、
前記給電端子と前記底辺エレメントとの距離を、隣接する前記電熱線の間の距離よりも大きく形成すると共に、前記側辺エレメントを前記電熱線に直交させた状態で前記ガラス板に取り付けられるようにしたことを特徴とするループアンテナ。
【請求項４】
請求項１から３の何れか１項に記載のループアンテナであって、
ループを構成するアンテナエレメントの全長を、前記ループアンテナが送受信する周波数の１波長に相当する長さにすると共に、
前記底辺エレメントの近傍に、前記底辺エレメントと平行で且つ前記ループアンテナとは独立した線状導体を配置したことを特徴とするループアンテナ。
【請求項５】
請求項１から３の何れか１項に記載のループアンテナであって、
ループを構成するアンテナエレメントの全長を、前記ループアンテナが送受信する周波数帯域の中心周波数の１波長に相当する長さにすると共に、
前記底辺エレメントの近傍に、前記底辺エレメントと平行で且つ前記ループアンテナとは独立した線状導体を配置したことを特徴とするループアンテナ。
【請求項６】
請求項４又は５に記載のループアンテナであって、
前記線状導体の中点が、前記ループアンテナの２つの給電端子の間の点と、前記底辺エレメントの中点とを結ぶ線状に位置するように、前記線状導体を配置したことを特徴とするループアンテナ。
【請求項７】
請求項４又は５に記載のループアンテナであって、
前記線状導体の全長を、前記ループを構成するアンテナエレメントの全長の１／２としたことを特徴とするループアンテナ。
【請求項８】
請求項４から６の何れか１項に記載のループアンテナであって、
前記線状導体を、前記ループアンテナのループの内側に配置したことを特徴とするループアンテナ。
【請求項９】
請求項４から８の何れか１項に記載のループアンテナであって、
前記線状導体を、前記ループアンテナのループの外側に配置したことを特徴とするループアンテナ。
【請求項１０】
複数の電熱線が横方向に掛け渡された曇り止め装置付きガラス板に取り付けられるループアンテナであって、
アンテナエレメントの１つを底辺エレメントとする多角形状のループを有し、ループを構成するアンテナエレメントの全長が前記ループアンテナが送受信する周波数の１波長に相当する長さであり、前記底辺エレメントから垂直方向に離れた他のアンテナエレメントまでの距離の最大値が隣接する前記電熱線の間の距離よりも小さいループアンテナを、前記底辺エレメントを平行にして複数個配置し、
隣接するループアンテナ同士は、前記底辺エレメントの中点に垂直な線に平行な直線エレメントで接続し、
前記底辺エレメントに垂直な線の両側に１つずつ給電端子を設け、
前記直線エレメントを前記電熱線に直交させた状態で前記ガラス板に取り付けられるようにしたことを特徴とするループアンテナ。
【請求項１１】
請求項１０に記載のループアンテナであって、
前記各ループの内側の前記底辺エレメントの近傍に、前記底辺エレメントと平行で且つ前記ループアンテナとは独立した線状導体を配置したことを特徴とするループアンテナ。
【請求項１２】
請求項４から６及び１１の何れか１項に記載のループアンテナであって、
前記ループアンテナの受信周波数帯域に対して、低い周波数帯域を前記ループアンテナに受信させるために、前記線状導体の全長を、前記アンテナエレメントの全長の１／２より長くしたことを特徴とするループアンテナ。
【請求項１３】
請求項４から及び１１の何れか１項に記載のループアンテナであって、
前記ループアンテナの受信周波数帯域に対して、高い周波数帯域を前記ループアンテナに受信させるために、前記線状導体の全長を、前記アンテナエレメントの全長の１／２より短くしたことを特徴とするループアンテナ。
【請求項１４】
複数の電熱線が横方向に掛け渡された曇り止め装置付きの車両のリヤガラスへのループアンテナの取付方法であって、
請求項１又は２に記載のループアンテナを、１枚の柔軟な誘電体シートの上に形成すると共に、前記誘電体シートの一方の面には粘着材を全面に設け、
前記リヤガラスの内側の面の、隣接する前記電熱線の間の領域に、前記粘着材を介して前記ループアンテナを、その底辺エレメントが一方の電熱線に沿うように貼り付けたことを特徴とするループアンテナの車両への取付方法。
【請求項１５】
複数の電熱線が横方向に掛け渡された曇り止め装置付きの車両のリヤガラスへのループアンテナの取付方法であって、
請求項３に記載のループアンテナを、１枚の柔軟な誘電体シートの上に形成すると共に、前記誘電体シートの一方の面には粘着材を全面に設け、
前記リヤガラスの内側の面の、１本の前記電熱線に隣接する２本の前記電熱線の間の領域に、前記粘着材を介して前記ループアンテナを、その側辺エレメントが前記１本の電熱線に直交するように貼り付けたことを特徴とするループアンテナの車両への取付方法。
【請求項１６】
複数の電熱線が横方向に掛け渡された曇り止め装置付きの車両のリヤガラスへのループアンテナの取付方法であって、
請求項１０に記載のループアンテナを、１枚の柔軟な誘電体シートの上に形成すると共に、前記誘電体シートの一方の面には粘着材を全面に設け、
前記リヤガラスの内側の面の、１本の前記電熱線に隣接する２本の前記電熱線の間の領域に、前記粘着材を介して前記ループアンテナを、前記直線エレメントが前記１本の電熱線に直交するように貼り付けたことを特徴とするループアンテナの車両への取付方法。
【請求項１７】
請求項１４から１６の何れか１項に記載のループアンテナの車両への取付方法であって、
前記ループアンテナのループの内側に、前記底辺エレメントと平行で且つ前記ループアンテナとは独立した線状導体を配置したことを特徴とするループアンテナの車両への取付方法。
【請求項１８】
複数の電熱線が横方向に掛け渡された曇り止め装置付きの車両のリヤガラスへの請求項１０に記載のループアンテナの取付方法であって、
前記ループアンテナのガラス板への取付面に粘着材を積層すると共に、この取付面には前記ループアンテナよりも大きなサイズのはく離紙ライナを取り付け、前記ループアンテナの前記取付面とは反対側の面には、前記はく離紙ライナに重ね合わせることができるサイズを備えると共に、重ね合わせ面には粘着材が積層され、反対側の面には直交する位置合わせマークが印刷されたアプリケータを重ね合わせてループアンテナアッセンブリを構成し、
前記ループアンテナの貼付位置の中心を、前記電熱線の内の所定の１本に重なる点として定め、
この中心点を通る前記電熱線に垂直な直線に、マーキングテープの一辺を合わせてマーキングテープを前記リヤガラスに貼付して、前記１本の電熱線を水平軸、前記マーキングテープの一辺を垂直軸と定め、
前記ループアンテナアッセンブリを、前記はく離ライナがリヤガラス面側の状態で、位置合わせマークを前記水平軸と垂直軸に合わせて前記リヤガラス上に載置し、
この状態を維持したまま前記はく離ライナの一部を削除して、削除した部分に重なる前記アプリケータの粘着材で前記ループアンテナアッセンブリを前記リヤガラス上に仮固定し、
前記マーキングテープを除去した後に前記はく離紙ライナを剥がして、前記ループアンテナをその粘着材で前記リヤガラス上に貼付し、
最後にアプリケータを前記ループアンテナ上から剥がすことにより、ループアンテナを前記リヤガラスに取り付ける取付方法。
【請求項１９】
車両の後方視界を確保するためのリヤガラスであって、
両端部に電極が縦方向に配置され、該電極間に複数の電熱線が横方向に掛け渡された曇り止め装置が、前記リヤガラスの内側に取り付けられる場合に、
前記リヤガラスの内部に、請求項１又は２に記載のループアンテナを埋め込み、
この時の前記ループアンテナは、前記曇り止め装置の前記リヤガラスへの取付位置に対して、前記曇り止め装置の隣接する前記電熱線の間の領域に、前記ループアンテナの底辺エレメントが前記電熱線に沿うように埋め込んだことを特徴とするループアンテナを備える車両のリヤガラス。
【請求項２０】
車両の後方視界を確保するためのリヤガラスであって、
両端部に電極が縦方向に配置され、該電極間に複数の電熱線が横方向に掛け渡された曇り止め装置が、前記リヤガラスの内側に取り付けられる場合に、
前記リヤガラスの内部に、請求項３に記載のループアンテナを埋め込み、
この時の前記ループアンテナは、前記曇り止め装置の前記リヤガラスへの取付位置に対して、前記曇り止め装置の１本の前記電熱線に隣接する２本の前記電熱線の間の領域に、前記ループアンテナの側辺エレメントが前記１本の電熱線に直交するように埋め込んだことを特徴とするループアンテナを備える車両のリヤガラス。
【請求項２１】
車両の後方視界を確保するためのリヤガラスであって、
両端部に電極が縦方向に配置され、該電極間に複数の電熱線が横方向に掛け渡された曇り止め装置が、前記リヤガラスの内側に取り付けられる場合に、
前記リヤガラスの内部に、請求項１０に記載のループアンテナを埋め込み、
この時の前記ループアンテナは、前記曇り止め装置の前記リヤガラスへの取付位置に対して、前記曇り止め装置の１本の前記電熱線に隣接する２本の前記電熱線の間の領域に、前記ループアンテナの直線エレメントが前記１本の電熱線に直交するように埋め込んだことを特徴とするループアンテナを備える車両のリヤガラス。
【請求項２２】
請求項１９から２１の何れか１項に記載のリヤガラスであって、
前記ループアンテナのループの内側に、前記底辺エレメントと平行で且つ前記ループアンテナとは独立した線状導体を配置したことを特徴とするループアンテナを備える車両のリヤガラス。
【請求項２３】
車両のリヤガラスに横方向に平行に形成された電熱線の間の領域に取り付けられるシート状のループアンテナであって、
外周部分の形状がアンテナエレメントによって多角形状に形成されたアンテナパターンと、
前記アンテナパターンの前記外周部分の内側かつ前記多角形の頂点のうち、車両のリヤガラスへの取付時に前記電熱線に近接することとなる頂点の近傍に設けられた給電端子とを備えることを特徴とするデジタルＴＶ放送受信用のループアンテナ。
【請求項２４】
請求項２３に記載のループアンテナにおいて、
前記アンテナパターンは、車両のリヤガラスへの取付時に前記電熱線に対して平行となる直線状のアンテナエレメントを備え、
前記給電端子と前記直線状のアンテナエレメントとの距離が前記電熱線の間隔よりも短いことを特徴とするデジタルＴＶ放送受信用のループアンテナ。
【請求項２５】
請求項２３又は２４に記載のループアンテナにおいて、
前記アンテナパターンは、車両のリヤガラスへの取付時に前記電熱線に対して平行となる方向を幅方向として、該幅方向の両端に近づくにつれて前記外周部分を形成するアンテナエレメントが前記電熱線から離間するように形成することを特徴とするデジタルＴＶ放送受信用のループアンテナ。
【請求項２６】
請求項２４又は２５に記載のループアンテナにおいて、
前記アンテナパターンの前記外周部分の内側に、前記直線状のアンテナエレメントと平行に、他のアンテナエレメントから独立した線状導体を備えることを特徴とするデジタルＴＶ放送受信用のループアンテナ。
【請求項２７】
外周部分の形状がアンテナパターンによって多角形に形成されたアンテナパターンと、
前記アンテナパターンの前記外周部分の内側かつ前記多角形の頂点の近傍に設けられた給電端子と、
前記アンテナパターンの前記外周部分の内側に配置され、前記多角形において前記給電端子の近傍の頂点と等間隔で隣接する第１と第２の頂点とを結ぶ直線と平行な他のアンテナエレメントから独立した線状導体と、を備えることを特徴とするデジタルＴＶ放送受信用のループアンテナ。
【手続補正２】
【補正対象書類名】明細書
【補正対象項目名】００２９
【補正方法】変更
【補正の内容】
【００２９】
図３（ａ）は、本発明の第１の実施例のループアンテナ１１の構成をデフォッガ７と対比して示すものである。第１の実施例のループアンテナ１１は、透明で柔軟な三角形状のシート状フィルム（誘電体シート）５２の上に、アンテナエレメントにより三角形状のアンテナパターン５１が形成されたものである。第１の実施例のループアンテナ１１では、三角形状のアンテナパターン５１を構成するアンテナエレメントの１つを底辺エレメント５１Ａとした時に、ループアンテナ１１の２つの給電端子９１，９２が、底辺エレメント５１Ａの中点５１Ｃから垂直な方向に所定距離Ｌ１だけ離れた位置に設けられており、給電端子９１，９２と底辺エレメント５１Ａとの距離Ｌ１が、隣接するデフォッガ７の電熱線７Ｈの間の距離Ｌ３よりも小さく形成されている。この結果、第１の実施例のループアンテナ１１は、自動車のリヤガラス４に設置されているデフォッガ７の隣接する電熱線７Ｈの間の領域４Ｍに取り付けることができる。また、アンテナパターン５１は柔軟なシート状フィルム５２の上に形成されているので、ループアンテナ１１を取り付ける面が湾曲していても対応することができる。
【手続補正３】
【補正対象書類名】明細書
【補正対象項目名】００３０
【補正方法】変更
【補正の内容】
【００３０】
なお、三角形状のシート状フィルム５２の、デフォッガ７の電熱線７Ｈの間の距離方向の長さＬ２は、この実施例では隣接するデフォッガ７の電熱線７Ｈの間の距離Ｌ３よりも小さく形成されているが、この長さＬ２は長さＬ３よりも長くても構わない。また、第１の実施例のループアンテナ１１は、アンテナパターン５１の形状を三角形状としているが、この理由は、ループアンテナ１１をデフォッガ７の湾曲部に取り付けた場合でも、アンテナパターン５１の一部が、デフォッガ７の電熱線７Ｈの湾曲部に交差しないようにするためである。即ち、アンテナパターン５１の形状を点線で示すように矩形とした場合、ループアンテナ１１をデフォッガ７の湾曲部に取り付けると、ループアンテナ１１の一部がリアガラス４におけるデフォッガ７の電熱線７Ｈの湾曲部に重なり、アンテナパターン５１の一部がデフォッガ７の電熱線７Ｈの湾曲部に交差することがあるからである。
【手続補正４】
【補正対象書類名】明細書
【補正対象項目名】００３１
【補正方法】変更
【補正の内容】
【００３１】
以上の理由から、本実施例では多角形状に構成するアンテナパターン５１の形状を、取り付け時にデフォッガ７の電熱線７Ｈに重なる虞がある部位のみ、アンテナエレメントを斜めに配置した斜辺エレメント５１Ｄで構成することが望ましい。そして、一般に、隣接するデフォッガ７の電熱線７Ｈの間の距離Ｌ３は３０ｍｍ程度であるので、給電端子９１，９２と底辺エレメント５１Ａとの距離Ｌ１は１５ｍｍ程度に構成すれば良く、底辺エレメント５１Ａの長さＬ４はループアンテナ１１が受信する周波数、或いは受信する周波数帯域の中心周波数の１波長の半分の長さ（λ／２）にすれば良い。
【手続補正５】
【補正対象書類名】明細書
【補正対象項目名】００３２
【補正方法】変更
【補正の内容】
【００３２】
図３（ｂ）は、図３（ａ）のループアンテナ１１のループ状のアンテナパターン５１の内側に、アンテナパターン５１とは独立した線状導体である無給電素子５０を付加した変形実施例の構成を示すものである。無給電素子５０は、アンテナパターン５１の底辺エレメント５１Ａに平行に設けられている。この無給電素子５０は、ループアンテナ１１の受信効率を増大させる、或いは受信帯域を増やすために設けられるものである。この場合のアンテナパターン５１の全長は、ループアンテナ１１が受信する周波数、或いは受信する周波数帯域の中心周波数の１波長（λ）に相当する長さとすることが好ましい。無給電素子５０は、ループアンテナ１１が設置されている面よりも、電波の到来方向に近い部分に設けられても良いものである。
【手続補正６】
【補正対象書類名】明細書
【補正対象項目名】００３３
【補正方法】変更
【補正の内容】
【００３３】
図３（ｃ）は、図３（ａ）のループアンテナ１１のループ状のアンテナパターン５１の外側に無給電素子５０を付加した変形実施例の構成を示すものである。この例でも無給電素子５０は、アンテナパターン５１の底辺エレメント５１Ａに平行に設けられている。無給電素子５０をアンテナパターン５１の外側に配置する場合でも、無給電素子５０の全長は、ループアンテナ１１が受信する周波数のλ／２未満にすることが望ましい。
【手続補正７】
【補正対象書類名】明細書
【補正対象項目名】００３４
【補正方法】変更
【補正の内容】
【００３４】
図３（ｄ）は、図３（ａ）のループアンテナ１１のループを五角形状にした変形実施例の構成を示すものである。この実施例では、アンテナパターン５１の両端部分に、短いアンテナエレメントで構成された側辺エレメント５１Ｂが設けられているが、底辺エレメント５１Ａと給電端子９１，９２の間の距離Ｌ１（（ａ）参照）は、デフォッガ７の隣接する電熱線７Ｈの間の距離Ｌ３（（ａ）参照）よりも短くなっている。
【手続補正８】
【補正対象書類名】明細書
【補正対象項目名】００３５
【補正方法】変更
【補正の内容】
【００３５】
図４（ａ）は、本発明の第２の実施例のループアンテナ１２の構成をデフォッガ７と対比して示すものである。第２の実施例のループアンテナ１２は、透明な矩形のシート状フィルム（誘電体シート）６２の上に、矩形（長方形）のアンテナパターン６１が形成されたものである。第２の実施例のループアンテナ１２では、長方形状のアンテナパターン６１の１つのアンテナエレメントを底辺エレメント６１Ａとし、その両側のアンテナエレメントを側辺エレメント６１Ｂとした時に、ループアンテナ１２の２つの給電端子９１，９２が、底辺エレメント６１Ａの中点６１Ｃから垂直な方向に所定距離Ｍ１だけ離れた位置に設けられており、給電端子９１，９２と底辺エレメント６１Ａとの距離Ｍ１が、隣接するデフォッガ７の電熱線７Ｈの間の距離Ｌ３以上で、かつその２倍の距離２Ｌ３よりは小さく形成されている。なお、Ｌ１＝Ｌ３の時がベストである。
【手続補正９】
【補正対象書類名】明細書
【補正対象項目名】００３６
【補正方法】変更
【補正の内容】
【００３６】
この結果、第２の実施例のループアンテナ１２は、自動車のリヤガラス４に設置されているデフォッガ７の電熱線７Ｈの１つにその底辺エレメント６１Ａが平行になるように取り付けた時に、その側辺エレメント６１Ｂが必ず隣接するデフォッガ７の電熱線７Ｈの１つと交差することになる。この場合、側辺エレメント６１Ｂはその中点でデフォッガ７の電熱線７Ｈの１つと直交することが望ましく、この状態がループアンテナ１２の損失が最も少ない。
【手続補正１０】
【補正対象書類名】明細書
【補正対象項目名】００３７
【補正方法】変更
【補正の内容】
【００３７】
図４（ｂ）は、図４（ａ）のＢ−Ｂ線における断面図である。４はリヤガラスであり、７Ｈはデフォッガ７の電熱線である。アンテナパターン６１が設けられたループアンテナ１２のシート状フィルム６２は、デフォッガ７の電熱線７Ｈを跨いでリヤガラス４の裏面側（車室内側）から貼り付けられる。
【手続補正１１】
【補正対象書類名】明細書
【補正対象項目名】００３８
【補正方法】変更
【補正の内容】
【００３８】
図４（ｃ）は、図４（ａ）のループアンテナ１２の変形実施例の構成を示すものである。図４（ａ）の実施例では、側辺エレメント６１Ｂは１本のデフォッガ７の電熱線７Ｈと交差していたが、この実施例の側辺エレメント６１Ｂは長く形成されており、２本のデフォッガ７の電熱線７Ｈと交差している。このように、ループアンテナ１２のデフォッガ７の電熱線７Ｈに直交する方向の長さは特に制限されるものではない。
【手続補正１２】
【補正対象書類名】明細書
【補正対象項目名】００３９
【補正方法】変更
【補正の内容】
【００３９】
図５（ａ）は、図４（ａ）に示したループアンテナ１２のループ状のアンテナパターン６１の内側に、アンテナパターン６１とは独立した無給電素子５０を付加した変形実施例の構成を示すものである。無給電素子５０は、アンテナパターン６１の底辺エレメント６１Ａに平行に設けられている。この無給電素子５０は、ループアンテナ１２の受信効率を増大させる、或いは受信帯域を広げるために設けられるものである。
【手続補正１３】
【補正対象書類名】明細書
【補正対象項目名】００４０
【補正方法】変更
【補正の内容】
【００４０】
図５（ｂ）は、図４（ａ）に示したループアンテナ１２のループ状のアンテナパターン６１の外側に、無給電素子５０を付加した変形実施例の構成を示すものである。この実施例でも無給電素子５０は、アンテナパターン６１の底辺エレメント６１Ａに平行に設けられている。
【手続補正１４】
【補正対象書類名】明細書
【補正対象項目名】００４１
【補正方法】変更
【補正の内容】
【００４１】
図５（ｃ）は、図４（ｃ）に示したループアンテナ１２のループ状のアンテナパターン６１の内側に、無給電素子５０を付加した変形実施例の構成を示すものである。この実施例でも無給電素子５０は、アンテナパターン６１の底辺エレメント６１Ａに平行に設けられている。
【手続補正１５】
【補正対象書類名】明細書
【補正対象項目名】００４２
【補正方法】変更
【補正の内容】
【００４２】
図６（ａ）は本発明の第３の実施例のループアンテナ１３の構成をデフォッガ７と対比して示すものである。第３の実施例のループアンテナ１３は、透明な五角形状のシート状フィルム（誘電体シート）７２の上に、三角形状のアンテナパターン７１が２つ並んで形成されたものである。第３の実施例のループアンテナ１３では、三角形状のアンテナパターン７１を構成するアンテナエレメントの１つを底辺エレメント７１Ａとした時に、２つの三角形状のアンテナパターン７１は底辺エレメント７１Ａが平行に並べられている。
【手続補正１６】
【補正対象書類名】明細書
【補正対象項目名】００４３
【補正方法】変更
【補正の内容】
【００４３】
一方の三角形状のアンテナパターン７１には、２つの給電端子９１，９２がその頂点近傍に並んで設けられており、他方の三角形状のアンテナパターン７１は、その頂点部が電気的に接続され、底辺エレメント７１Ａの中点近傍が分断され、分断された端部がそれぞれ直線エレメント７４で２つの給電端子９１，９２に接続されている。また、直線エレメント７４の両側のシート状フィルム７２には孔部７３が設けられている。
【手続補正１７】
【補正対象書類名】明細書
【補正対象項目名】００４４
【補正方法】変更
【補正の内容】
【００４４】
この実施例では、一方の三角形状のアンテナパターン７１の底辺エレメント７１Ａから２つの給電端子９１，９２までの距離Ｄ１、直線エレメント７４の長さＤ２、及び他方の三角形状のアンテナパターン７１の底辺エレメント７１Ａから頂点までの距離Ｄ３はそれぞれ同じ長さであり、隣接するデフォッガ７の電熱線７Ｈの間の距離よりも小さく形成されている。そして、第３の実施例のループアンテナ１３は、一方の三角形状のアンテナパターン７１と他方の三角形状のアンテナパターン７１が、隣接するデフォッガ７の電熱線７Ｈの間の領域４Ｍに設置され、直線エレメント７４がデフォッガ７の電熱線７Ｈと交差するように、リヤガラス４に取り付けられる。直線エレメント７４とデフォッガ７の電熱線７Ｈとは直交することが望ましい。
【手続補正１８】
【補正対象書類名】明細書
【補正対象項目名】００４５
【補正方法】変更
【補正の内容】
【００４５】
また、底辺エレメント７１Ａの長さＤ４はループアンテナ１３が受信する周波数のλ／２にすれば良い。更に、この実施例のループアンテナ１３には、２つの三角形状のアンテナパターン７１の内側に、無給電素子５０が設けられている。この例でも無給電素子５０は、アンテナパターン７１の底辺エレメント７１Ａに平行に設けられている。
【手続補正１９】
【補正対象書類名】明細書
【補正対象項目名】００４６
【補正方法】変更
【補正の内容】
【００４６】
図６（ｂ）は、図６（ａ）で説明したループアンテナ１３の、２つのループ状のアンテナパターン７１から、無給電素子５０をそれぞれ削除した変形実施例の構成を示すものである。その他の構成は図６（ａ）で説明したループアンテナ１３と同じであるので、ここではその説明を省略する。
【手続補正２０】
【補正対象書類名】明細書
【補正対象項目名】００４７
【補正方法】変更
【補正の内容】
【００４７】
図６（ｃ）は、図６（ａ）で説明したループアンテナ１３のループ状のアンテナパターン７１を３つ接続した変形実施例の構成を示すものである。この実施例では、同じ形状の３つのアンテナパターン７１が、それぞれ底辺エレメント７１Ａが平行になるように並べられ、同じ長さの直線エレメント７４で各アンテナパターン７１同士が、図６（ａ）で説明したのと同様に接続されている。そして、給電端子９１，９２は真ん中のアンテナパターン７１の頂点部のみに設けられている。この実施例のループアンテナ１３は、各アンテナパターン７１が、隣接するデフォッガ７の電熱線７Ｈの間の領域４Ｍに設置され、直線エレメント７４がデフォッガ７の電熱線７Ｈと交差するようにリヤガラスに取り付けられる。直線エレメント７４とデフォッガ７の電熱線７Ｈとは直交することが望ましい。この実施例のループアンテナ１３にも、３つの三角形状のアンテナパターン７１の内側に、無給電素子５０がそれぞれ設けられている。無給電素子５０は、アンテナパターン７１の底辺エレメント７１Ａに平行に設けられている。
【手続補正２１】
【補正対象書類名】明細書
【補正対象項目名】００５２
【補正方法】変更
【補正の内容】
【００５２】
図８（ａ）は、図３（ａ）に示した本発明の第１の実施例のループアンテナ１１を２つ組み合わせた、本発明の第４の実施例のループアンテナ１４の構成をデフォッガ７と対比して示すものである。この実施例のループアンテナ１４は、前述の第１の実施例のループアンテナ１１が２つ、デフォッガ７を挟んでデフォッガ７の電熱線７Ｈの間に配置されたものである。２つのループアンテナ１１に設けられた給電端子９１，９２は、デフォッガ７の電熱線７Ｈを挟んで近接配置されている。４つの給電端子９１，９２は、１つのコネクタで接続することができる。
【手続補正２２】
【補正対象書類名】明細書
【補正対象項目名】００５３
【補正方法】変更
【補正の内容】
【００５３】
図８（ｂ）は、図８（ａ）に示したループアンテナ１４の独立したループアンテナ１１を、それぞれ第１のアンテナパターン８１と第２のアンテナパターン８２として、１枚のシート状フィルム８３の上に設けたものである。第１のアンテナパターン８１には２つの給電端子９３，９４が接続されており、第２のアンテナパターン８２には２つの給電端子９５，９６が接続されている。シート状フィルム８３には接続部８３Ａがあり、この接続部８３Ａがデフォッガ７の電熱線７Ｈに直交する形で第４の実施例のループアンテナ１４はリヤガラス上に取り付けられる。
【手続補正２３】
【補正対象書類名】明細書
【補正対象項目名】００５４
【補正方法】変更
【補正の内容】
【００５４】
４つの給電端子９３〜９６には、４つの接続端子３５〜３８を備えたコネクタ２０Ａを接続させることができる。給電端子９３，９４と給電端子９５，９６の間にはデフォッガ７の電熱線７Ｈがあるので、これに接続するコネクタ２０Ａにはデフォッガ７から逃げるための凹部２５が設けられている。
【手続補正２４】
【補正対象書類名】明細書
【補正対象項目名】００５８
【補正方法】変更
【補正の内容】
【００５８】
図９（ｃ）は、図９（ｂ）に示した回路４０の内部構成と第１と第２のアンテナパターン８１，８２との接続を示すものである。回路４０の内部には、分配／合成器４６に接続するフィルタ４１、フィルタ４１から出力される信号を増幅するアンプ４２、アンプ４２から出力される信号帯域を定めるフィルタ４３があり、このフィルタ４３は、直流を阻止するコンデンサ４４を介して、同軸ケーブル２２の中心導体に接続している。この同軸ケーブル２２は電源重畳ケーブルであり、重畳された電源電圧は、コイル４５（交流成分遮断）を通じてアンプ４２に供給される。
【手続補正２５】
【補正対象書類名】明細書
【補正対象項目名】００５９
【補正方法】変更
【補正の内容】
【００５９】
分配／合成器４６には、第２のアンテナパターン８２はそのまま接続されているが、第１のアンテナパターン８１は２つのアンテナの受信信号の位相を合わせるための遅延回路４７（導電路長の延長）が接続されている。よって、第１と第２のアンテナパターン８１，８２で受信された信号は、位相が合わされた状態で合成され、回路４０に入力される。
【手続補正２６】
【補正対象書類名】明細書
【補正対象項目名】００６４
【補正方法】変更
【補正の内容】
【００６４】
図１１（ａ）は、図３（ｂ）に示した本発明の第１の実施例の変形実施例のループアンテナ１１の具体的な構成例を示すものである。よって、第１の実施例の変形実施例のループアンテナ１１と同じ構成部材については、同じ符号を付して説明する。具体的な構成においても、透明で柔軟な三角形状のシート状フィルム５２の上に、三角形状のアンテナパターン５１と無給電素子５０、及び給電端子９１，９２が設けられている。また、アンテナパターン５１の底辺エレメント５１Ａと無給電素子５０との間の部分と、アンテナパターン５１の斜辺エレメント５１Ｄと無給電素子５０との間の部分のシート状フィルム５２には、孔部５３，５４が設けられている。孔部５３，５４は、ループアンテナ１１をリヤガラスに貼り付けた時に、シート状フィルム５２とリヤガラスの間に空気が入らないようにするために設けられるものである。
【手続補正２７】
【補正対象書類名】明細書
【補正対象項目名】００６５
【補正方法】変更
【補正の内容】
【００６５】
更に、具体的な構成例では、アンテナパターン５１の長さＷ１が１７５ｍｍであり、無給電素子５０の長さＷ２が１０５ｍｍであり、アンテナパターン５１の底辺エレメント５１Ａと無給電素子５０との間の長さＨ１が５．５ｍｍであり、無給電素子５０と給電端子９１，９２の端部までの長さＨ２が９．５ｍｍである。この構成のループアンテナ１１は、水平偏波のデジタルＴＶの周波数帯（４７０ＭＨｚ〜７１０ＭＨｚ）の電波を受信するためのものであり、アンテナパターン５１の部分で、５００ＭＨｚ帯の低い周波数を受信することができ、無給電素子５０の部分で、６００ＭＨｚ帯の高い周波数を受信することができる。
【手続補正２８】
【補正対象書類名】明細書
【補正対象項目名】００６６
【補正方法】変更
【補正の内容】
【００６６】
デジタルＴＶの電波は水平偏波であるので、ループ状のアンテナパターン５１の底辺エレメント５１Ａを水平方向に配置し、この底辺エレメント５１Ａの長さＷ１と、アンテナパターン５１の内部に配置する無給電素子５０の長さＷ２とを変えることにより、アンテナパターン５１と無給電素子５０の受信帯域をずらすことができる。そして、無給電素子５０の長さＷ２を１０５ｍｍよりも長くすれば、無給電素子５０の部分で受信できる周波数が低くなり、無給電素子５０の長さＷ２を１０５ｍｍよりも短くすれば受信できる周波数が高くなる。また、アンテナパターン５１の底辺エレメント５１Ａの長さＷ１と無給電素子５０の長さＷ２を同じ長さにすれば、両者によって同じ周波数を受信することができる。
【手続補正２９】
【補正対象書類名】明細書
【補正対象項目名】００６７
【補正方法】変更
【補正の内容】
【００６７】
例えば、デジタルＴＶの周波数帯（４７０ＭＨｚ〜７１０ＭＨｚ）の電波の、４７０ＭＨｚに近い周波数を受信させるためには、アンテナパターン５１の底辺エレメント５１Ａの長さＷ１と無給電素子５０の長さＷ２を共に１７５ｍｍ程度にすれば良く、７１０ＭＨｚに近い周波数を受信させるためには、アンテナパターン５１の底辺エレメント５１Ａの長さＷ１と無給電素子５０の長さＷ２を共に８０ｍｍ程度にすれば良い。そして、アンテナパターン５１の底辺エレメント５１Ａの長さＷ１と無給電素子５０の長さＷ２を異ならせれば、異なる周波数帯域を１つのループアンテナで受信させることができる。
【手続補正３０】
【補正対象書類名】明細書
【補正対象項目名】００７０
【補正方法】変更
【補正の内容】
【００７０】
図１１（ｂ）に示す具体的な構成例でも、アンテナパターン５１の長さＷ１は１７５ｍｍであり、無給電素子５０の長さＷ２は１０５ｍｍである。また、上側のアンテナパターン５１の底辺５１Ａと無給電素子５０との間の長さＨ１と、下側のアンテナパターン５１の底辺エレメント５１Ａと無給電素子５０との間の長さＨ４は共に５．５ｍｍである。更に、上側の無給電素子５０と給電端子９１，９２の端部までの長さＨ２と、下側の無給電素子５０から斜辺エレメント５１Ｄの交点までの長さＨ５が共に９．５ｍｍとなっている。更にまた、上側の給電端子９１，９２の端部と、下側の底辺エレメント５１Ａまでの長さＨ３が１５ｍｍとなっている。
【手続補正３１】
【補正対象書類名】明細書
【補正対象項目名】００７１
【補正方法】変更
【補正の内容】
【００７１】
図１１（ｂ）の構成のループアンテナ１３も、水平偏波のデジタルＴＶの周波数帯（４７０ＭＨｚ〜７１０ＭＨｚ）の電波を受信するためのものであり、この具体例でも、アンテナパターン５１の部分で、５００ＭＨｚ帯の低い周波数を受信することができ、無給電素子５０の部分で、６００ＭＨｚ帯の高い周波数を受信することができる。なお、この実施例のループアンテナ１３は、自動車のリヤガラスの左側の内面に取り付けるためのものである。
【手続補正３２】
【補正対象書類名】明細書
【補正対象項目名】００７７
【補正方法】変更
【補正の内容】
【００７７】
ループアンテナ１３のシート状フィルム５２の上に形成されるアンテナパターン５１（この図には底辺エレメント５１Ａと斜辺エレメント５１Ｄが示されている）と無給電素子５０は一般に銅箔で形成されており、この銅箔は保護材５６で被覆されて保護されている。セパレータ６０の上には、ループアンテナ１３を挟んでアプリケータ７０が貼り合わされる。この図ではセパレータ６０とアプリケータ７０は離間して示されているが、実際には、アプリケータ７０の裏面に積層された粘着材７７は、セパレータ６０に粘着している。アプリケータ７０の表面には、位置合わせマーク７５が印刷されている。なお、ループアンテナ１３の粘着材１７の粘着力の方が、アプリケータ７０の粘着材７７の粘着力よりも強い。
【手続補正３３】
【補正対象書類名】明細書
【補正対象項目名】００８７
【補正方法】変更
【補正の内容】
【００８７】
【図１】（ａ）は本発明のループアンテナをリヤガラスに備えたセダン型自動車の透視図、（ｂ）は本発明のループアンテナをリヤガラスに備えたハッチバック型自動車の後部の斜視図である。
【図２】図１の２つのループアンテナのナビゲーション装置への接続を示すブロック回路図である。
【図３】（ａ）は本発明のループアンテナの第１の実施例の構成をデフォッガと対比して示す平面図、（ｂ）は（ａ）のループアンテナのループ状のアンテナパターンの内側に無給電素子を付加した変形実施例の構成を示す平面図、（ｃ）は（ａ）のループアンテナのループ状のアンテナパターンの外側に無給電素子を付加した変形実施例の構成を示す平面図、（ｄ）は（ａ）のループアンテナのループを五角形状にした変形実施例の構成を示す平面図である。
【図４】（ａ）は本発明のループアンテナの第２の実施例の構成をデフォッガと対比して示す平面図、（ｂ）は（ａ）のＢ−Ｂ線における断面図、（ｃ）は（ａ）のループアンテナの変形実施例の構成を示す平面図である。
【図５】（ａ）は図４（ａ）に示したループアンテナのループ状のアンテナパターンの内側に無給電素子を付加した変形実施例の構成を示す平面図、（ｂ）は図４（ａ）に示したループアンテナのループ状のアンテナパターンの外側に無給電素子を付加した変形実施例の構成を示す平面図、（ｃ）は図４（ｃ）に示したループアンテナのループ状のアンテナパターンの内側に無給電素子を付加した変形実施例の構成を示す平面図である。
【図６】（ａ）は本発明のループアンテナの第３の実施例の構成をデフォッガと対比して示す平面図、（ｂ）は（ａ）のループアンテナのループ状のアンテナパターンから無給電素子を削除した変形実施例の構成を示す平面図、（ｃ）は（ａ）のループアンテナのループ状のアンテナパターンを３つ接続した変形実施例の構成を示す平面図である。
【図７】（ａ）は図３から図６に示した本発明のループアンテナの給電端子に接続するコネクタ部分と同軸ケーブルの外観を示す斜視図、（ｂ）は（ａ）に示したコネクタの内部にある回路基板の構成を示す平面図、（ｃ）は（ｂ）に示した回路の内部構成を示すブロック回路図である。
【図８】（ａ）は図３（ａ）に示した第１の実施例のループアンテナを２つ組み合わせた第４の実施例の構成をデフォッガと対比して示す平面図、（ｂ）は（ａ）に示したループアンテナの独立したアンテナパターンを、それぞれ第１のアンテナパターンと第２のアンテナパターンとして、１枚のフィルムシートの上に設け、これに接続するコネクタと共に示した説明図である。
【図９】（ａ）は図８に示した本発明のループアンテナの給電端子に接続するコネクタ部分と同軸ケーブルの外観を示す斜視図、（ｂ）は（ａ）に示したコネクタの内部にある回路基板の構成を示す平面図、（ｃ）は（ｂ）に示した回路の内部構成を示すブロック回路図、（ｄ）は（ａ）に示したコネクタを、リヤガラス上に設けられたループアンテナの接続端子に取り付けた状態を示す断面図である。
【図１０】（ａ）は本発明のループアンテナを備えたリヤガラスにデフォッガを取り付ける状態を示す組立斜視図、（ｂ）は（ａ）のリヤガラスを取り付けた自動車の後部を部分的に示す斜視図である。
【図１１】（ａ）は図３（ｂ）に示した本発明の第１の実施例の変形実施例のループアンテナの具体例の構成を示す平面図、（ｂ）は、図６（ａ）に示した第３の実施例のループアンテナの具体例の構成を示すものであり、リヤガラスの左側に取り付けるループアンテナの平面図、（ｃ）は（ｂ）と同様の図６（ａ）に示した第３の実施例のループアンテナの具体例の構成を示すものであり、リヤガラスの右側に取り付けるループアンテナの平面図である。
【図１２】（ａ）は図１１（ｂ）に示したループアンテナに、セパレータとアプリケータを取り付けてループアンテナアッセンブリを構成する様子を示す組立斜視図、（ｂ）は（ａ）のループアンテナアッセンブリの平面図、（ｃ）は（ｂ）のＸ‐Ｘ線における局部断面図である。
【図１３】図１２（ｂ）に示した左側用のループアンテナアッセンブリを、自動車のリヤガラスの左側に内側から取り付ける手順を説明する図であり、（ａ）はループアンテナを取り付ける位置を決めるマーキングテープがリヤガラスに貼付された状態を示す斜視図、（ｂ）はリヤガラスの上のマーキングテープにループアンテナアッセンブリにある位置合わせマークを合わせながら、ループアンテナアッセンブルを位置決めする手順を説明する説明図、（ｃ）は（ｂ）の手順によりリヤガラスの上のマーキングテープに位置合わせされたループアンテナアッセンブルを示す正面図である。
【図１４】図１２（ｂ）に示した左側用のループアンテナアッセンブリを、自動車のリヤガラスの左側に内側から取り付ける手順の続きを説明する図であり、（ａ）は図１３（ｃ）の状態からセパレータの一部を取り去ってアプリケータの裏面に塗布された接着財をリヤガラスに貼付し、マーキングテープを除去する手順を示す図、（ｂ）は（ａ）の状態からセパレータを全て除去してループアンテナをアプリケータごとリヤガラスに貼付する手順を示す図、（ｃ）は（ｂ）の手順によりリヤガラスの上に貼付されたループアンテナからアプリケータを除去する手順を示す図、（ｄ）は（ｃ）の手順によりアプリケータが除去され、リヤガラス上にループアンテナのみが貼り付けられた状態を示す図である。
【手続補正３４】
【補正対象書類名】明細書
【補正対象項目名】００８８
【補正方法】変更
【補正の内容】
【００８８】
１    マーキングテープ
４    リヤガラス
７    デフォッガ
８    カーナビゲーション装置
１０    ループアンテナ
１１〜１４    本発明の第１から第４の実施例のループアンテナ
１７    粘着材
２０、２０Ａ    コネクタ
２２    同軸ケーブル
３０    回路基板
３１、３２、３５〜３８    接続端子
５０    無給電素子
５１，６１，７１、８１，８２    アンテナパターン
５２，６２，７２，８３    シート状フィルム
５３，５４，５５    孔部
６０    セパレータ
７０    アプリケータ
７４    直線エレメント
７５    位置合わせマーク
８０    ループアンテナアッセンブリ
１００    自動車
【手続補正３５】
【補正対象書類名】図面
【補正対象項目名】図３
【補正方法】変更
【補正の内容】
【図３】
2007174614.tif 000001
【手続補正３６】
【補正対象書類名】図面
【補正対象項目名】図４
【補正方法】変更
【補正の内容】
【図４】
2007174614.tif 000002
【手続補正３７】
【補正対象書類名】図面
【補正対象項目名】図５
【補正方法】変更
【補正の内容】
【図５】
2007174614.tif 000003
【手続補正３８】
【補正対象書類名】図面
【補正対象項目名】図６
【補正方法】変更
【補正の内容】
【図６】
2007174614.tif 000004
【手続補正３９】
【補正対象書類名】図面
【補正対象項目名】図８
【補正方法】変更
【補正の内容】
【図８】
2007174614.tif 000005